(57)【要約】【課題】間接活線工具２を用いて間接活線作業を行う際の作業者の負担を軽減可能な間接活線工具支持具１を提供すること。【解決手段】本発明は、作業に応じた先端工具２０を取り付け可能な絶縁操作棒２１を有する間接活線工具２を支持する間接活線工具支持具１であって、作業者の身体の少なくとも一部に装着可能な第１装着支持部３と、前記絶縁操作棒２１に装着可能な第２装着支持部５と、前記第１装着支持部３と前記第２装着支持部５とを連結させる連結支持部４と、を有することを特徴とする。【選択図】図５
2010172082.tif 000002
【特許請求の範囲】
【請求項１】
作業に応じた先端工具を取り付け可能な絶縁操作棒を有する間接活線工具を支持する間接活線工具支持具であって、
作業者の身体の少なくとも一部に装着可能な第１装着支持部と、
前記絶縁操作棒に装着可能な第２装着支持部と、
前記第１装着支持部と前記第２装着支持部とを連結させる連結支持部と、を有することを特徴とする間接活線工具支持具。
【請求項２】
前記連結支持部は、少なくとも一部が伸縮可能に形成されることを特徴とする請求項１に記載の間接活線支持具。
【請求項３】
前記第１装着支持部は、少なくとも一部が伸縮可能に形成されることを特徴とする請求項１に記載の間接活線支持具。
【請求項４】
前記第１装着支持部は、作業者の首部の周域に装着されることを特徴とする請求項１から３のいずれかに記載の間接活線支持具。
【請求項５】
前記第１装着支持部は、作業者の胴体部に装着されることを特徴とする請求項１から３のいずれかに記載の間接活線支持具。
【発明の詳細な説明】
【技術分野】
【０００１】
本発明は、間接活線工具を支持する間接活線工具支持具に関する。
【背景技術】
【０００２】
従来より、電柱間に架設された電線の配電工事等を行う際には、電線に電気を通電させたまま、つまり無停電の状態で作業が行われる。そして、このような活線作業には、絶縁衣や絶縁手袋等の絶縁保護具を着用した作業者が通電中の電線に直接触れて作業を行う直接活線工法と、間接活線工具を使用して、作業者が通電中の電線に直接触れることなく作業を行う間接活線工法の二通りがある。
【０００３】
しかしながら、直接活線工法は、感電等を防止するために大掛かりな絶縁保護具を着用して作業を行うため、間接活線工法よりも作業効率が低下と共に、作業者が通電中の電線に直接触れて作業を行うため、作業者が不慮の感電をするおそれがある。そのため、近年においては、作業効率の向上や作業環境の改善等の観点から、間接活線工具を使用した間接活線工法が主流となってきている。
【０００４】
ところで、上述の間接活線工法においては、ホットスティックのような間接活線工具を用いて作業が行われる。ホットスティックは、例えば、駆動ユニット及び駆動ユニットを操作可能な操作部を備えた棒状の絶縁操作棒と、絶縁操作棒の先端に設けられ、駆動ユニットに接続されると共に、作業内容により交換可能に構成された先端工具と、を備えて構成されている。操作部は、電気的に絶縁された絶縁操作棒の基端部に設けられており、基端部には、作業者が把持可能な取手部が設けられている。作業者は、一方の手で取手部を把持し、他方の手で操作部を操作して間接活線作業を行う（例えば、特許文献１参照）。
【先行技術文献】
【特許文献】
【０００５】
【特許文献１】特開平７−２２２３１７号公報
【発明の概要】
【発明が解決しようとする課題】
【０００６】
しかしながら、特許文献１に記載のホットスティックを使用して間接活線作業を行う場合、作業者は、一方の手でホットスティックを支え、他方の手でホットスティックを操作しながら作業を行う。つまり、作業者は片手でホットスティックを支持しながら作業を行っていた。そのため、作業者の一方の手にホットスティックの荷重が集中してしまい、作業者は、一方の手が直ぐに疲れるという問題があった。そして、このことは、間接活線工法において作業効率を低下させる要因の１つとなっていた。
【０００７】
これに対しては、例えば、高所作業車の作業台にホットスティックを保持する保持装置を設け、この保持装置にホットスティックを保持させた状態で作業者が作業を行うことにより、作業者の一方の手に係る負担を軽減させることが可能となる。しかしながら、高所作業車での作業は、平地等の駐車可能な場所での作業を前提としており、例えば、山間部等の駐車が困難な場所や駐車スペースが確保できない場所等では作業ができないという問題がある。また、例えば、ホットスティックを保持して作業を可能とする保持装置は、複雑な構造を有する場合が多く、コストがかかるという問題があった。
【０００８】
本発明は、間接活線工具を用いて間接活線作業を行う際の作業者の負担を容易に軽減可能な間接活線工具支持具を提供することを目的とする。
【課題を解決するための手段】
【０００９】
本発明は、作業に応じた先端工具を取り付け可能な絶縁操作棒を有する間接活線工具を支持する間接活線工具支持具であって、作業者の身体の少なくとも一部に装着可能な第１装着支持部と、前記絶縁操作棒に装着可能な第２装着支持部と、前記第１装着支持部と前記第２装着支持部とを連結させる連結支持部と、を有することを特徴とする。
【００１０】
また、前記連結支持部は、少なくとも一部が伸縮可能に形成されることが好ましい。
【００１１】
また、前記第１装着支持部は、少なくとも一部が伸縮可能に形成されることが好ましい。
【００１２】
また、前記第１装着支持部は、作業者の首部の周域に装着されることが好ましい。
【００１３】
また、前記第１装着支持部は、作業者の胴体部に装着されることが好ましい。
【発明の効果】
【００１４】
本発明によれば、間接活線工具を用いて間接活線作業を行う際の作業車の負担を軽減可能な間接活線工具支持具を提供することができる。
【図面の簡単な説明】
【００１５】
【図１】本発明の実施形態に係るホットスティック支持具が装着されたホットスティックを示す外観斜視図である。
【図２】本実施形態に係るホットスティック支持具の外観を示す外観斜視図である。
【図３】本実施形態に係るホットスティック支持部の分解組立図である。
【図４】（ａ）は、本実施形態に係るホットスティック支持部の第２装着支持部を示す外観斜視図であり、（ｂ）は、（ａ）の断面図である。
【図５】本実施形態に係るホットスティック支持部の使用状態を示す図である。
【図６】他の実施形態に係るホットスティック支持具の使用状態を示す図である。
【発明を実施するための形態】
【００１６】
以下、本発明を実施するための最良の形態について、図面を参照しながら説明する。
なお、間接活線工具としては、例えば、絶縁ヤットコ、ホットスティック等があるが、以下の説明においては、作業内容により交換が可能な先端工具を有するホットスティック２に取り付け可能なホットスティック支持具１を例に挙げて説明する。
【００１７】
最初に、本実施形態に係るホットスティック支持具１が取り付けられるホットスティック２について説明する。図１は、本発明の実施形態に係るホットスティック支持具１が装着されたホットスティック２を示す外観斜視図である。
【００１８】
図１に示すように、ホットスティック２は、先端工具２０と、棒状の絶縁操作棒２１と、を備えて構成されている。
先端工具２０は、絶縁操作棒２１の先端に着脱可能に取り付けられている。また、先端工具２０は、絶縁操作棒２１の先端に取り付けられることにより、絶縁操作棒２１に設けられる後述の駆動ユニット２２に接続されるように構成されている。
【００１９】
絶縁操作棒２１は、駆動ユニット２２と、駆動ユニット２２を操作可能な操作部２３と、を有して構成されている。
駆動ユニット２２は、絶縁操作棒２１の先端に取り付けられた先端工具２０を駆動可能に構成されている。具体的には、駆動ユニット２２は、本体部（図示せず）と、駆動部（図示せず）と、を有して構成されている。本体部は、絶縁操作棒２１の基端部側に配設されており、操作部２３と接続されている。また、本体部は、操作部により操作された操作内容を駆動部に伝達させる。駆動部は、絶縁操作棒２１の内部に配設されており、本体部と先端工具２０とを接続させている。また、駆動部は、本体部により伝達された操作内容を先端工具２０に伝達し、先端工具２０を駆動させる。
【００２０】
操作部２３は、絶縁操作棒２１の基端部に設けられており、作業者により操作可能に構成されている。また、操作部２３は、駆動ユニット２２の本体部に接続されており、駆動ユニット２２を操作可能に構成されている。つまり、作業者は、操作部を操作することにより、絶縁操作棒の先端に設けられ、駆動ユニット２２の駆動部に接続された先端工具を操作することが可能になる。
【００２１】
次に、本実施形態に係るホットスティック支持具１について説明する。
図２は、本実施形態に係るホットスティック支持具の外観を示す外観斜視図である。図３は、本実施形態に係るホットスティック支持具の分解組立図である。
【００２２】
図２及び図３に示すように、ホットスティック支持具１は、第１装着支持部３と、連結支持部４と、第２装着支持部５と、を備えて構成されている。
【００２３】
第１装着支持部３は、帯状に形成されている。また、第１装着支持部３は、その端部同士が連結された円環状に形成されている。第１装着支持部３は、円環状に形成されることにより、作業者の身体に装着させることが可能になる。
【００２４】
また、第１装着支持部３は、第１伸縮部３０と、保持部３１と、を備えて構成されている。
第１伸縮部３０は、作業者の前方に位置するように装着される部位である。第１伸縮部３０は、弾性材料（例えば、弾性ゴム等）により帯状に成形されており、所定の応力が加わると延伸するように形成されている。また、第１伸縮部３０には、バックル６が取り付けられている。バックル６は、第１装着支持部３と、連結支持部４とを連結させる。
【００２５】
保持部３１は、作業者の後方に位置するように装着される部位である。保持部３１は、帯状に形成されており、第１伸縮部３０と連続するように第１伸縮部３０と連結されている。また、保持部３１は、幅方向における長さが第１伸縮部３０の幅方向における長さよりも長くなるように形成されている。つまり、保持部３１は、作業者の後方に位置するように装着されることにより作業者の身体と接触する部分を構成するため、この作業者と接触する部分が第１伸縮部３０よりも大きくなるように形成されている。
【００２６】
また、保持部３１は、その状部の略中央部にＶ字状の窪み部３２が形成されている。窪み部３２は、作業者の後頭部に沿うように形成されており、保持部を作業者の首部に密着させるために形成される。
また、保持部３１には、その内部に衝撃を吸収可能な衝撃吸収パット３３が収容されている。衝撃吸収パット３３は、作業者の首部と当接する部分に配置されており、保持部３１から作業者に伝達される衝撃を吸収する。
【００２７】
連結支持部４は、帯状に形成されている。連結支持部４は、第１装着支持部３と、第２装着支持部５とを連結させる。また、連結支持部４は、第２伸縮部４０と、調整部４１と、を備えて構成されている。
【００２８】
第２伸縮部４０は、弾性材料（例えば、弾性ゴム等）により帯状に形成されており、所定の応力が加わると延伸するように形成されている。また、第２伸縮部４０の一方側の端部には、連結部４２が設けられている。連結部４２は、第２装着支持部５と連結可能に形成されており、連結支持部４と第２装着支持部５とを連結させる。一方、第２伸縮部４０の他方側は、調整部４１と連続している。
【００２９】
調整部４１は、帯状に形成されており、連結支持部４の長さを調節可能に形成されている。具体的には、調整部４１には、調整バックル４３が取り付けられており、調整部４１は、調整バックル４３を調整することにより連結支持部４の長さを調節可能に構成されている。また、調整部４１は、バックル６と係合しており、バックル６を介して第１装着支持部３と連結支持部４とを連結させている。
【００３０】
図４（ａ）は、本実施形態に係るホットスティック支持具の第２装着支持部を示す外観斜視図であり、図４（ｂ）は、図４（ａ）の断面図である。
図４（ａ）及び図４（ｂ）に示すように、第２装着支持部５は、円筒部５０と、開口部５１と、を備えて構成されている。また、第２装着支持部５は、弾性材料（例えば、樹脂等）により形成されており、弾性変形可能に形成されている。
【００３１】
円筒部５０は、略円筒形状に形成されており、その内径が、絶縁操作棒２１の外形よりも大きくなるように形成されている。円筒部５０は、内径を絶縁操作棒２１の外形よりも大きくすることにより、円筒部５０の内部（中空部）に絶縁操作棒２１を装入可能になるように構成されている。
【００３２】
また、円筒部５０の外周面５２には、外方に突出した係止部５３が形成されている。係止部５３には、連結部４２が係止可能な係止孔５３ａが形成されている。係止部５３は、連結部４２を係止孔５３ａに係止させることにより、連結部４２が係止されるように構成されている。つまり、連結支持部４と第２装着支持部５とは、連結部４２を係止部５３に係止させることにより連結される。
【００３３】
更に、円筒部５０の外周面には、ネジ孔部５４が設けられている。ネジ孔部５４は、ネジ孔５５と、ネジ５６と、を有して構成されている。ネジ孔５５は、円筒部５０を貫通するように形成されており、ネジ５６が螺合可能なネジ溝（図示せず）が設けられている。ネジ５６は、円筒部５０を貫通可能な長さに形成されており、ネジ孔５５に設けられたネジ溝に沿ってネジ孔５５に螺合可能に形成されている。
【００３４】
開口部５１は、円筒部５０の外周面を円筒部５０の軸方向に切り欠いたスリット状に形成されている。
また、開口部５１には、外方に広がる一対のフランジ部５１ａ，５１ｂが設けられている。一対のフランジ部５１ａ，５１ｂそれぞれは、開口部５１の端部から外方に向かって開口部５１の開口幅よりも広がるように突出した状態に形成されている。また、一対のフランジ部５１ａ，５１ｂそれぞれは、絶縁操作棒２１と当接可能に形成されている。開口部５１は、絶縁操作棒２１を一対のフランジ部５１ａ，５１ｂに当接させた後、更に円筒部５０の内部方向に絶縁操作棒２１を押し込むことにより、開口部５１が弾性変形して幅方向に広がり、絶縁操作棒２１が円筒部５０の内部に挿入されるように構成されている。
【００３５】
次に、本実施形態に係るホットスティック支持具１の使用方法について説明する。
図５は、本実施形態に係るホットスティック支持具の使用状態を示す図である。
【００３６】
図５に示すように、本実施形態に係るホットスティック支持具１は、高所作業車（図示せず）に設けられる作業台１００上で、電柱（図示せず）間に架設された電線Ｗの活線作業を行う作業者が使用するホットスティック２に装着して使用される。
【００３７】
まず、作業者は、ホットスティック２の絶縁操作棒２１に第２装着支持部５を装着させる。具体的には、図４（ｂ）に示す矢印Ａの方向に、絶縁操作棒２１を開口部５１から押し込む。開口部５１は、絶縁操作棒２１の外径よりも小さいが、第２装着支持部５が弾性材料により弾性変形可能に形成されているので、開口部５１に絶縁操作棒２１を押し込もうとすると、開口部５１が広がり容易に絶縁操作棒２１を円筒部５０の内部に挿入させることができる。
【００３８】
絶縁操作棒２１を円筒部５０に挿入させると、次いで、ネジ孔部５４のネジ５６を締める方向に回動させると、ネジ５６が円筒部５０の内部（中空部）側に前進し、絶縁操作棒２１を押圧する。これにより、絶縁操作棒２１が円筒部５０の内部で締め付けられて、第２装着支持部５が絶縁操作棒２１に固定される。
【００３９】
第２装着支持部５が絶縁操作棒に固定されると、作業者は、第１装着支持部３を頭からかぶり、首の周域で保持させる。次いで、作業者は、連結支持部４の調整部４１を調整し、連結支持部４の長さを調節する。長さの調節は、作業者と工事対象物との距離、又は先端工具と工事対象物との距離等により調節される。調整部４１における長さの調節が完了すると、作業者は、ホットスティック２を把持して、作業に取りかかる（例えば、図５参照）。
【００４０】
上述した構成を有する本実施形態に係るホットスティック支持具１によれば、以下に示す効果が奏される。
例えば、本実施形態に係るホットスティック支持具１は、作業者の身体の少なくとも一部に装着可能な円環状の第１装着支持部３と、絶縁操作棒２１に装着可能な第２装着支持部５と、第１装着支持部３と第２装着支持部５とを連結させる連結支持部４と、を有する。そのため、ホットスティック支持具１は、第１装着支持部３を作業者の身体のいずれかに掛け渡すことにより、容易にホットスティック２を支持することが可能になる。これにより、例えば、手のみでホットスティック２を支持する場合と異なり、作業者の負担及び疲労を軽減させることが可能となる。そして、作業者の負担及び疲労を軽減させることにより、作業効率を向上させることが可能になる。
【００４１】
また、本実施形態に係るホットスティック支持具１は、構成要素も少なく、簡易な構成であるため、多大な費用をかけることなくホットスティック支持具１を製造することができる。
【００４２】
また、本実施形態に係るホットスティック支持具１の第１装着支持部３は、延伸可能な第１伸縮部３０と、作業者の身体を保持可能な保持部３１と、を備えて構成されている。そのため、作業者がホットスティック支持具１を身体に装着して作業を行っているときに、例えば、強風等により、ホットスティック２があおられた場合等においても、ホットスティック２があおられることにより発生する衝撃が直接的に身体に加えられることを防止することが可能になる。また、第１装着支持部３を身体に装着させているため、不意な強風等によってホットスティック２が手から放れてしまった場合においても、ホットスティック２が作業下に落ちることを防止することが可能になる。これにより、未然に事故を防止することが可能になる。
【００４３】
また、本実施形態に係るホットスティック支持具１の第１装着部には、保持部３１の内部に衝撃吸収パットが装着されている。そのため、例えば、強風等によりホットスティック２があおられることにより発生する衝撃を衝撃吸収パットで吸収させることが可能になる。これにより、例えば、作業者がホットスティック支持具１を首に掛けて使用する場合においても、衝撃が作業者の首に直接伝達されることを防止することが可能になる。
【００４４】
また、本実施形態に係るホットスティック支持具１の第１装着支持部３には、保持部３１に窪み部３２が形成されている。そのため、例えば、ホットスティック支持具１を作業者が首に掛けて使用する場合に作業者の後頭部の形状に沿うように装着することが可能になる。これにより、作業者は、例えば、ホットスティック支持具１をより密着させて使用することが可能になる。
【００４５】
なお、本発明は、上記実施形態に何ら限定されることなく、本発明の技術的範囲はこれらに限定されるものではない。
例えば、本実施形態においては、ホットスティック支持具１は、図５に示すように、作業者の首から掛けるようにして装着するものを用いて説明したが、本発明においてはこれに限らない。例えば、ホットスティック支持具１は、図６に示すように、作業者の胴囲に斜め掛けするようにして装着するものであってもよい。また、例えば、安全帯のように、ベルト状にして作業者の胴囲に装着させるものであってもよい。さらには、直接安全帯に装着させるものであってもよい。ホットスティック支持具１は、作業者の身体のいずれかに装着可能であればよい。
【００４６】
また、例えば、本実施形態においては、第１装着支持部３は、固定の長さを有する構成としたが、本発明においてはこれに限らない。例えば、第１装着支持部３は、長さの調節を可能とする調整部を設ける構成としてもよい。
【００４７】
また、例えば、本実施形態においては、第２装着支持部５は、ネジ孔部５４を設け、ネジ孔部５４により絶縁操作棒２１に挿着させる構成としたが、本発明においてはこれに限らない。例えば、面ファスナーを絶縁操作棒に巻き付けて固定させる構成であってもよい。第２装着支持部５は、絶縁操作棒に装着可能な構成であればよい。
【符号の説明】
【００４８】
１    ホットスティック支持具（間接活線工具支持具）
２    ホットスティック（間接活線工具）
３    第１装着支持部
４    連結支持部
５    第２装着支持部
２０    先端工具
２１    絶縁操作棒
１００    作業台
Ｗ    電線
【図１】
2010172082.tif 000003
【図２】
2010172082.tif 000004
【図３】
2010172082.tif 000005
【図４】
2010172082.tif 000006
【図５】
2010172082.tif 000007
【図６】
2010172082.tif 000008